(57)【要約】【課題】  安価な軸受け部材を用いてトータルコストを低減できる回転操作型電気部品を提供すること。【解決手段】  比較的長尺な軸孔８を有すると共に該軸孔８に連通する収納部２が設けられた合成樹脂製のハウジング１と、軸孔８に挿通される回転軸１２を有し、この回転軸１２を介して収納部２内に配置された駆動部１２ａを回転操作する操作体１４と、回転軸１２を軸孔８に対して回転可能に支持する軸受け部材１１とを備えた回転操作型電気部品において、軸受け部材１１を円形孔１１ａの周縁にガイド突部１１ｂが形成された金属板材からなる板金軸受にて構成すると共に、この板金軸受１１を軸孔８の両開口端に連続するハウジング１の凹部９にそれぞれ固定することにより、回転軸１２の軸線方向に沿う両端部の外周面を一対の板金軸受１１のガイド突部１１ｂにそれぞれ摺接させた。【選択図】  図１
2006147402.tif 000002
【特許請求の範囲】
【請求項１】
軸孔を有すると共に該軸孔に連通する収納部が設けられた合成樹脂製のハウジングと、前記軸孔に挿通される回転軸を有し、この回転軸を介して前記収納部内に配置された駆動部を回転操作する操作体と、前記回転軸を前記軸孔に対して回転可能に支持する軸受け部材とを備え、
前記軸受け部材を円形孔の周縁にガイド突部が形成された金属板材からなる板金軸受で構成すると共に、この板金軸受を前記ハウジングにおける前記軸孔の両開口端近傍にそれぞれ固定することにより、前記回転軸の軸線方向に沿う両端部の外周面を前記ガイド突部に摺接させたことを特徴とする回転操作型電気部品。
【請求項２】
請求項１の記載において、前記板金軸受の外縁部に複数の係止爪を形成し、これら係止爪を前記ハウジングに圧入・係止したことを特徴とする回転操作型電気部品。
【請求項３】
請求項１または２の記載において、前記収納部が密閉構造であって、前記ハウジングに前記軸孔の少なくとも一方の開口端に連続する凹部を形成し、この凹部内に前記回転軸の外周面に密着するシール用ゴムリングを収納すると共に、前記凹部の開口端を前記板金軸受で蓋閉したことを特徴とする回転操作型電気部品。
【発明の詳細な説明】
【技術分野】
【０００１】
本発明は、車載用角度センサ等の回転操作型電気部品に関するものである。
【背景技術】
【０００２】
回転操作型電気部品は、ハウジングに設けられた収納部に検出手段を収納すると共に、操作体に設けられた回転軸の先端部をハウジングの軸孔を挿通して収納部内に臨ませ、外部から操作体を回転操作することによって検出手段を動作させるものである。ここで、前記検出手段としては、操作体側に設けられた摺動子とハウジング側に固定された抵抗基板との組み合わせによる接触タイプが一般的であるが、それ以外にも磁気検出や光検出等の非接触タイプも知られている。
【０００３】
従来より、このような回転操作型電気部品において、合成樹脂製のハウジングに円筒状のジャーナル軸受をインサート成形して軸孔内に取り付け、このジャーナル軸受の軸受面で操作体の回転軸を回転可能に支持した軸受構造が提案されている（例えば、特許文献１参照）。
【特許文献１】特開２０００−２９２１１６号公報（第４−６頁、図１）
【発明の開示】
【発明が解決しようとする課題】
【０００４】
前述した従来の回転操作型電気部品では、円筒状のジャーナル軸受を用いることで比較的長尺な回転軸を安定的に支持することができるが、かかるジャーナル軸受は引抜き材や焼結材からなるため、高価な軸受け部材によってトータルコストが高騰するという問題があった。
【０００５】
本発明は、このような従来技術の実情に鑑みてなされたもので、その目的は、安価な軸受け部材を用いてトータルコストを低減できる回転操作型電気部品を提供することにある。
【課題を解決するための手段】
【０００６】
上記の目的を達成するために、本発明の回転操作型電気部品は、軸孔を有すると共に該軸孔に連通する収納部が設けられた合成樹脂製のハウジングと、前記軸孔に挿通される回転軸を有し、この回転軸を介して前記収納部内に配置された駆動部を回転操作する操作体と、前記回転軸を前記軸孔に対して回転可能に支持する軸受け部材とを備え、前記軸受け部材を円形孔の周縁にガイド突部が形成された金属板材からなる板金軸受で構成すると共に、この板金軸受を前記ハウジングにおける前記軸孔の両開口端近傍にそれぞれ固定することにより、前記回転軸の軸線方向に沿う両端部の外周面を前記ガイド突部に摺接させる構成とした。
【０００７】
このように構成された回転操作型電気部品によれば、操作体の回転軸が一対の板金軸受によって安定的に支持され、かかる板金軸受は金属板材を原材料として安価に製造できるため、回転操作型電気部品のトータルコストを低減することができる。
【０００８】
上記の構成において、前記板金軸受の外縁部に複数の係止爪を形成し、これら係止爪を前記ハウジングに圧入・係止するように構成すると、板金軸受をハウジングに簡単かつ確実に組み込むことができて好ましい。
【０００９】
また、上記の構成において、回転操作型電気部品が高い気密性の要求される車載用角度センサ等である場合、前記収納部が密閉構造であって、前記ハウジングに前記軸孔の少なくとも一方の開口端に連続する凹部を形成し、この凹部内に前記回転軸の外周面に密着するシール用ゴムリングを収納すると共に、前記凹部の開口端を前記板金軸受で蓋閉することが好ましく、このような構成を採用すると、板金軸受が軸受け部材だけでなくゴムリングの脱落防止部材としても機能するため、気密構造を簡略化することができる。
【発明の効果】
【００１０】
本発明の回転操作型電気部品は、操作体の回転軸を一対の板金軸受によって安定的に支持するように構成したものであり、かかる板金軸受は金属板材を原材料として安価に製造できるため、回転操作型電気部品のトータルコストを低減することができる。
【発明を実施するための最良の形態】
【００１１】
発明の実施の形態について図面を参照して説明すると、図１は本発明の実施形態例に係る回転操作型電気部品の断面図、図２は該回転操作型電気部品の分解斜視図、図３は該回転操作型電気部品に備えられる板金軸受の斜視図である。
【００１２】
本実施形態例に係る回転操作型電気部品は、例えばステアリングの操舵に応じて生じるトルクを検出する車載用角度センサであって、車両の所定位置に取り付けられる合成樹脂製のハウジング１を備えている。このハウジング１には図示下方を開放した収納部２が形成されており、収納部２の開放端にはシール用のゴムリング３を介して合成樹脂製のカバー４が被着されている。収納部２の内部には抵抗基板５が収納・保持されており、この抵抗基板５には図示せぬ抵抗体層と集電体層が形成されると共に、これら抵抗体層と集電体層に接続する複数の端子６が取り付けられている。また、ハウジング１には複数本の外部端子７がインサート成形されており、各外部端子７の一端はハウジング１の側方に一体成形されたコネクタ部１ａの内部に突出し、各外部端子７の他端は収納部２の内部で対応する端子６に接続されている。
【００１３】
ハウジング１には収納部２に連通する比較的長尺な軸孔８が形成されると共に、軸孔８の上下両開口端に連続する段付形状の凹部９が形成されている。両凹部９の小径部分にはそれぞれシール用のＯリング（ゴムリング）１０が挿入されており、また、両凹部９の大径部分にはそれぞれ軸受け部材１１が固定されており、Ｏリング１０は軸受け部材１１によって凹部９からの脱落が防止されている。図３に示すように、この軸受け部材１１はステンレス等の金属板材をリング状にプレス加工して形成した板金軸受であり、その中央側の円形孔１１ａの周縁にはガイド突部１１ｂがバーリング加工されている。また、軸受け部材１１の外周縁には複数の係止爪１１ｃが折曲げ加工されており、これら係止爪１１ｃが凹部９の大径部分の周壁に圧入・係止されることにより、軸受け部材１１がハウジング１に対して確実に固定されるようになっている。
【００１４】
前記軸孔８には合成樹脂製の回転軸１２が挿通されており、この回転軸１２の軸線方向に沿う両端部外周面がそれぞれガイド突部１１ｂに摺接することにより、回転軸１２は両軸受け部材１１に回転可能に支持されている。また、回転軸１２の外周面にはそれぞれＯリング１０が密着しており、これらＯリング１０よって軸孔８と回転軸１２間に必要とされるギャップが封止されて気密性が確保されている。この回転軸１２の図示下端には収納部２内を回転する駆動部１２ａが一体成形されており、この駆動部１２ａには抵抗基板５の前記抵抗体層と集電体層に摺接する摺動子１３が取り付けられている。なお、これら抵抗基板５と摺動子１３によって検出手段が構成されている。また、回転軸１２は図示上端を開口する中空構造となっており、合成樹脂製の操作体１４に一体成形された連結ピン１４ａをこの中空部に挿入して固定することにより、操作体１４と回転軸１２は互いに一体化されている。図中の連結ピン１４ａには形成されていないが、連結ピン１４ａにグリス溜め用の溝を形成してもよい。この操作体１４には金属製のブッシュ１５が圧入されており、図示せぬ被検出体をこのブッシュ１５に連結することにより、被検出体の回転駆動に伴って操作体１４が回転操作されるようになっている。
【００１５】
このように構成された回転操作型電気部品において、外部からの駆動力によって操作体１４が回転操作され、それに伴って回転軸１２が両軸受け部材１１のガイド突部１１ｂに摺接しながら回転すると、駆動部１２ａに取り付けられた摺動子１３が抵抗基板５の図示せぬ抵抗体層上を回転摺動するため、その相対的な位置変化を電気信号として各外部端子７から出力することができる。
【００１６】
そして、本実施形態例に係る回転操作型電気部品では、操作体１４に一体化された比較的長尺な回転軸１２の両端部を一対の軸受け部材１１によって安定的に支持するように構成し、これら軸受け部材１１として金属板材をリング状にプレス加工して形成した安価な板金軸受を用いているため、従来のジャーナル軸受を用いたものに比べるとトータルコストを低減することができる。また、板金軸受からなる軸受け部材１１の外周縁に複数の係止爪１１ｃを折曲げ加工し、これら係止爪１１ｃを凹部９の大径部分の周壁に圧入・係止するようにしたので、軸受け部材１１をハウジング１に対して簡単かつ確実に固定することができる。
【００１７】
また、本実施形態例に係る回転操作型電気部品では、収納部２の開放端がゴムリング３とカバー４によって封止されると共に、この収納部２に連通する軸孔８と回転軸１２との間のギャップが一対のＯリング１０によって封止されているため、検出手段を収納する収納部２に高い気密性を確保することができるが、これらＯリング１０を段付形状の凹部９の小径部分に挿入し、凹部９の大径部分に固定した軸受け部材１１によってＯリング１０を蓋閉するようにしたので、板金軸受からなる軸受け部材１１にシール用のＯリング１０の脱落防止機能を持たせることができ、それゆえ気密構造を簡略化することができる。
【００１８】
なお、上記実施形態例では、本発明の回転操作型電気部品を車載用角度センサに適用した場合について説明したが、スロットルバルブセンサ等の他の回転操作型電気部品に適用できることはいうまでもない。
【図面の簡単な説明】
【００１９】
【図１】本発明の実施形態例に係る回転操作型電気部品の断面図である。
【図２】該回転操作型電気部品の分解斜視図である。
【図３】該回転操作型電気部品に備えられる板金軸受の斜視図である。
【符号の説明】
【００２０】
１  ハウジング
２  収納部
４  カバー
５  抵抗基板
８  軸孔
９  凹部
１０  Ｏリング（シール用ゴムリング）
１１  軸受け部材
１１ａ  円形孔
１１ｂ  ガイド突部
１１ｃ  係止爪
１２  回転軸
１２ａ  駆動部
１３  摺動子
１４  操作体
１４ａ  連結ピン
【図１】
2006147402.tif 000003
【図２】
2006147402.tif 000004
【図３】
2006147402.tif 000005